(57)【特許請求の範囲】
【請求項１】
ステージにセットされたホログラム記録媒体に情報レーザ光と参照レーザ光を照射することにより該ホログラム記録媒体にデータを記録し、又は該ホログラム記録媒体に参照レーザ光を照射することにより記録されたデータを再生する光ディスク装置であって、該ホログラム記録媒体に照射された参照レーザ光が透過光と回折光になる光ディスク装置において、
レーザ光源から出射されたレーザ光を該ホログラム記録媒体に照射されるレーザ光と、レーザ光強度の制御のためのレーザ光とに分岐する第１のレーザ光分岐手段と、
該ホログラム記録媒体に照射されるレーザ光を該情報レーザ光と該参照レーザ光とに分岐する第２のレーザ光分岐手段と、
該レーザ光強度の制御のためのレーザ光と該参照レーザ光とをフォトセンサが受光するように導く光学部品と、
該ホログラム記録媒体を該ステージにセットしない状態で、該レーザ光強度の制御のためのレーザ光を遮光し、該参照レーザ光のみが該フォトセンサに入射するようにする第１の遮光手段と、
該参照レーザ光を遮光し、該レーザ光強度の制御のためのレーザ光のみが該フォトセンサに入射するようにする第２の遮光手段と、
該ホログラム記録媒体を該ステージにセットしない状態で、該第１の遮光手段による遮光により、該参照レーザ光のみを該フォトセンサにて受光し、該フォトセンサが出力する受光信号から該参照レーザ光のレーザ光強度を検出する第１のレーザ光強度検出手段と、
該第２の遮光手段による遮光により、該レーザ光強度の制御のためのレーザ光のみを該フォトセンサにて受光し、該フォトセンサが出力する受光信号から該レーザ光強度の制御のためのレーザ光のレーザ光強度を検出する第２のレーザ光強度検出手段と、
該第１のレーザ光強度検出手段により検出されたレーザ光強度と該第２のレーザ光強度検出手段により検出されたレーザ光強度との比を取得するレーザ光強度比取得手段と、
該第２のレーザ光強度検出手段により検出されたレーザ光強度と該レーザ光強度比取得手段が取得したレーザ光強度比とに基づき、該参照レーザ光の強度が設定された値になるよう制御を行うレーザ光強度制御手段とを備えたことを特徴とする光ディスク装置。
【請求項２】
前記レーザ光源と前記第１のレーザ光分岐手段との間に前記レーザ光源から出射されたレーザ光の偏光方向を変化させるレーザ光偏光方向変化手段を備え、
前記レーザ光強度比取得手段が、該レーザ光偏光方向変化手段を制御してレーザ光の偏光方向を変化させると共に、該偏光方向が変化するごとに前記第１のレーザ光強度検出手段及び前記第２のレーザ光強度検出手段が検出するレーザ光強度を用いてレーザ光強度比を取得することにより、該レーザ光の偏光方向に対するレーザ光強度比を取得する手段であり、
前記レーザ光強度制御手段が、該第２のレーザ光強度検出手段により検出されたレーザ光強度と、該レーザ光強度比取得手段により取得されたレーザ光の偏光方向に対するレーザ光強度比とに基づき、前記参照レーザ光の強度が設定された値になるレーザ光の偏光方向を定め、該偏光方向になるよう該レーザ光偏光方向変化手段を制御する手段であることを特徴とする請求項１記載の光ディスク装置。
【発明の詳細な説明】
【技術分野】
【０００１】
本発明は、光記録媒体にレーザ光を照射してデータの記録又はデータの再生を行う光ディスク装置に関し、主にホログラム記録媒体にレーザ光を照射してデータの記録又はデータの再生を行う光ディスク装置に関する。
【背景技術】
【０００２】
従来より、光記録媒体である光ディスクヘ記録するデータの容量を大きくするため、ホログラム記録媒体に多重記録を行う研究が進められている。ホログラム記録媒体に多重記録を行う際、照射するレーザ光の強度が設定された値になるよう制御することは重要な要素であるが、この制御方法は従来の光ディスク装置の場合と同様、例えば特許文献１に示されているように、レーザ光源から出射されたレーザ光を偏光ビームスプリッタ等でホログラム記録媒体に照射されるレーザ光とレーザ光強度制御のためのレーザ光とに分岐し、レーザ光強度制御のためのレーザ光の強度を検出して、検出したレーザ光の強度が一定になるようレーザ光源に入力されている電流又は電圧を制御している。
【特許文献１】特開２００５−３０３１２９号公報
【発明の開示】
【発明が解決しようとする課題】
【０００３】
しかしながら、従来のレーザ光の強度制御では、分岐した２つのレーザ光の強度比を偏光ビームスプリッタの特性から定めて、検出したレーザ光の強度の制御目標値を定めているが、偏光ビームスプリッタに入射するレーザ光の偏光方向が設計から少しずれただけでも分岐した２つのレーザ光の強度比が変わるため、記録媒体に照射されるレーザ光の強度が設定通りになっていないことがある。
【０００４】
また、レーザ光の照射を続けていくと、レーザ光の偏光方向が変動することがあり、変動すると分岐した２つのレーザ光の強度比は変化するため記録媒体に照射されるレーザ光の強度が設定からずれてしまう。
【０００５】
さらに、レーザ光源に入力する電流や電圧を制御することでレーザ光強度が一定になるよう制御すると、レーザ光強度が目標値付近で波打つように変化するため、精度のよい記録を行うことができない。
【０００６】
本発明は、このような事情に鑑みてなされたもので、偏光ビームスプリッタに入射するレーザ光の偏光方向が設計から多少ずれていたり、出射するレーザ光の偏光方向が変動しても、記録媒体に照射されるレーザ光の強度を設定通りにすることができ、レーザ光強度が目標値付近で一定になるようにすることができる光ディスク装置を提供することにある。
【課題を解決するための手段】
【０００７】
請求項１記載の光ディスク装置は、レーザ光源から出射されたレーザ光をホログラム記録媒体に照射されるレーザ光と、レーザ光強度の制御のためのレーザ光とに分岐する第１のレーザ光分岐手段と、ホログラム記録媒体に照射されるレーザ光を情報レーザ光と参照レーザ光とに分岐する第２のレーザ光分岐手段と、レーザ光強度の制御のためのレーザ光と参照レーザ光とをフォトセンサが受光するように導く光学部品と、ホログラム記録媒体をステージにセットしない状態で、レーザ光強度の制御のためのレーザ光を遮光し、参照レーザ光のみがフォトセンサに入射するようにする第１の遮光手段と、参照レーザ光を遮光し、レーザ光強度の制御のためのレーザ光のみがフォトセンサに入射するようにする第２の遮光手段と、ホログラム記録媒体をステージにセットしない状態で、第１の遮光手段による遮光により、参照レーザ光のみをフォトセンサにて受光し、フォトセンサが出力する受光信号から参照レーザ光のレーザ光強度を検出する第１のレーザ光強度検出手段と、第２の遮光手段による遮光により、レーザ光強度の制御のためのレーザ光のみをフォトセンサにて受光し、フォトセンサが出力する受光信号からレーザ光強度の制御のためのレーザ光のレーザ光強度を検出する第２のレーザ光強度検出手段と、第１のレーザ光強度検出手段により検出されたレーザ光強度と第２のレーザ光強度検出手段により検出されたレーザ光強度との比を取得するレーザ光強度比取得手段と、第２のレーザ光強度検出手段により検出されたレーザ光強度とレーザ光強度比取得手段が取得したレーザ光強度比とに基づき、参照レーザ光の強度が設定された値になるよう制御を行うレーザ光強度制御手段とを備えたことを特徴とする。
【０００８】
請求項２記載の光ディスク装置は、レーザ光源と第１のレーザ光分岐手段との間にレーザ光源から出射されたレーザ光の偏光方向を変化させるレーザ光偏光方向変化手段を備え、レーザ光強度比取得手段が、レーザ光偏光方向変化手段を制御してレーザ光の偏光方向を変化させると共に、偏光方向が変化するごとに第１のレーザ光強度検出手段及び第２のレーザ光強度検出手段が検出するレーザ光強度を用いてレーザ光強度比を取得することにより、レーザ光の偏光方向に対するレーザ光強度比を取得する手段であり、レーザ光強度制御手段が、第２のレーザ光強度検出手段により検出されたレーザ光強度と、レーザ光強度比取得手段により取得されたレーザ光の偏光方向に対するレーザ光強度比とに基づき、参照レーザ光の強度が設定された値になるレーザ光の偏光方向を定め、偏光方向になるようレーザ光偏光方向変化手段を制御する手段であることを特徴とする。
【発明の効果】
【００１１】
請求項１の発明によれば、レーザ光強度制御のためのレーザ光と参照レーザ光のそれぞれのレーザ光強度を検出して２つのレーザ光の強度比を取得し、レーザ光強度制御用のレーザ光のレーザ光強度と２つのレーザ光の強度比とにより参照レーザ光強度を制御するようにしたことから、偏光ビームスプリッタに入射するレーザ光の偏光方向が設計から多少ずれていても、実際のレーザ光強度によりレーザ光強度比を取得することで、ホログラム記録媒体に照射される参照レーザ光の強度を設定通りにでき、又、出射するレーザ光の偏光方向が変動しても、所定頻度で（例えば記録媒体を交換するごと）にそれぞれのレーザ光強度を検出して新たなレーザ光強度比を取得すれば、ホログラム記録媒体に照射される参照レーザ光の強度を設定通りにでき、正確な記録及び再生が可能である。また、フォトセンサが出力する受光信号の強度とレーザ光強度との関係が、長期の間に変化しても同一のフォトセンサを用いているのでレーザ光強度比を精度よく求めることができ、又装置のコストを抑制することもできる。
【００１２】
請求項２の発明によれば、レーザ光の偏光方向を変化させて偏光方向に対するレーザ光強度比を取得し、レーザ光強度制御用のレーザ光のレーザ光強度と偏光方向に対するレーザ光強度比とによりレーザ光の偏光方向を制御するようにしたことから、レーザ光源に入力する電圧及び電流は一定であり、出射されるレーザ光の強度変化は緩やかであるため、参照レーザ光のレーザ光強度が目標値付近で一定になるようにすることができる。
【発明を実施するための最良の形態】
【００１５】
以下、本発明の形態について図面を参照しながら具体的に説明する。本発明の形態における光ディスク装置は、ホログラム記録媒体に情報レーザ光と参照レーザ光とを異なる角度で照射してデータの記録を行い、記録箇所に参照レーザ光を照射して記録したデータの再生を行うホログラム記録再生装置である。
【００１６】
図１は、本発明のホログラム記録再生装置の一例を示す構成図である。図２は、１／２波長板の回転角度ごとのレーザ光強度比を取得するためにコントローラが実行するプログラムのフローチャートである。図３は、１／２波長板の回転角度とレーザ光強度比との関係を視覚的に示す説明図である。
【００１７】
図１において、ホログラム記録再生装置である光ディスク装置１は、レーザ光源１０、各種光学系素子、空間光変調器３４、フーリエ変換レンズ３８、逆フーリエ変換レンズ４２、フォトセンサ４４及び６０、ステージ４０、回転モータ６２、レーザ駆動回路１０２、回転制御回路１０４、レーザ光強度制御回路１０６、開閉制御回路Ａ１０８、記録用信号生成回路１１０、位置制御回路１１２、角度制御回路１１４、再生データ生成回路１１６、開閉制御回路Ｂ１１８、開閉制御回路Ｃ１２０、コントローラ２００、入力装置２０２、表示装置２０４等から構成されている。尚、図１には本発明に関係する回路及び装置のみを示し、本発明に直接関係しない定着レーザ光の照射源やその駆動回路、ステージ４０の回転機構やその回転を制御する回路等は除いてある。
【００１８】
次に、各種回路、装置の作動について説明する。まず、コントローラ２００は、光ディスク装置１の全体の制御を行うもので、データや各種設定等を入力するための入力装置２０２及び各種設定等を表示する表示装置２０４が接続されている。そして、コントローラ２００には、後述するレーザ駆動回路１０２、回転制御回路１０４、レーザ光強度制御回路１０６、開閉制御回路Ａ１０８、記録用信号生成回路１１０、位置制御回路１１２、角度制御回路１１４、再生データ生成回路１１６、開閉制御回路Ｂ１１８、開閉制御回路Ｃ１２０等が接続され、それらの制御を行うことで全体の制御が行われる。
【００１９】
レーザ駆動回路１０２は、コントロ−ラ２００からの指令によりレーザ光源１０にレーザ光照射のための電流又は電圧を供給する。電流又は電圧は一定である。レーザ光源１０から出射されたレーザ光は、コリメー卜レンズ１２により平行光になり、１／２波長板１４により偏光方向が変化する。
【００２０】
１／２波長板１４は、回転モータ６２により回転し、入射したレーザ光の偏光方向に対して「進相軸」（ｆａｓｔ）及び「遅相軸」（ｓｌｏｗ）の方向を変化させる。これにより１／２波長板１４を透過したレーザ光の偏光方向が変化する。回転制御回路１０４は、作動開始すると回転モータ６２を回転初期位置に移動させ、以後、コントローラ２００又はレーザ光強度制御回路１０６から回転角度に相当する信号が入力すると、回転モータ６２にあるエンコーダからのパルス信号により回転角度を検出し、検出した回転角度が入力した回転角度に一致するまで回転モータ６２を回転させる。
【００２１】
偏光ビームスプリッタ１６は、入射したレーザ光を透過及び反射することにより、２つのレーザ光に分岐させる。２つのレーザ光の強度比は、偏光ビームスプリッタ１６の透過軸の方向と入射するレーザ光の偏光方向とにより定まる。入射するレーザ光の偏光方向は、前述のように１／２波長板１４を回転させることにより変化するため、２つのレーザ光の強度比は、１／２波長板１４を回転させることにより変化する。透過及び反射した大部分のレーザ光の偏光方向は、入射したレーザ光の偏光方向によらず、偏光ビームスプリッタ１６の透過軸に平行な方向と直角な方向である。
【００２２】
偏光ビームスプリッタ１６で反射したレーザ光は、ミラー１８で反射した後、シャッタＡ２０に入射する。シャッタＡ２０は、ホログラム記録媒体ＨＫにデータの記録又は記録されたデータの再生をしている最中は常に開状態であり、レーザ光はそのままシャッタＡ２０を通過し、エキスパンダーレンズ２２，２４により光束径が拡大されて１／２波長板２６により偏光方向が変化する。この偏光方向の変化は、後述する偏光ビームスプリッタ３２で透過するレーザ光と反射するレーザ光との比を適切な値に設定するためである。コントローラ２００からの指令によりシャッタＡ２０の開閉を行う回路が開閉制御回路Ａ１０８である。
【００２３】
レーザ光は、その後ミラー２８により反射し、絞り３０によりレーザ光強度が高い中心周りの箇所のみが通過し、偏光ビームスプリッタ３２により２つのレーザ光に分岐される。偏光ビームスプリッタ３２は固定されており、反射したレーザ光の大部分は入射したレーザ光の偏光方向によらず偏光ビームスプリッタ３２の透過軸に垂直である。尚、１／２波長板２６が固定されているので、１／２波長板２６を透過したレーザ光の偏光方向は一定であり、偏光ビームスプリッタ３２に入射するレーザ光の偏光方向は一定であるので、分岐される２つのレーザ光の強度比は一定である。
【００２４】
偏光ビームスプリッタ３２で反射したレーザ光は、空間光変調器３４（ＳＬＭ：Ｓｐａｔｉａｌ  Ｌｉｇｈｔ  Ｍｏｄｕｌａｔｏｒ）に入射する。空間光変調器３４は、透過型のＴＦＴ液晶表示装置（ＬＣＤ）のパネルなどでできており、記録用信号生成回路１１０で元データが変換された表示用データを電気信号として受け取り、平面上に明暗のドットパターンを形成する。レーザ光は、空間光変調器３４を透過すると光変調されて、データ信号成分を含むレーザ光（以下、情報レーザ光という）になる。データ信号成分を含んだ情報レーザ光は、空間光変調器３４から焦点距離ｆの位置にあるフーリエ変換レンズ３８を通過することで、データ信号成分がフーリエ変換され、ホログラム記録媒体ＨＫ内に集光され、後述する参照レーザ光との干渉によりホログラム記録媒体ＨＫ内にデータの記録を行う。
【００２５】
空間光変調器３４とフーリエ変換レンズ３８の間にはシャッタＣ３６があり、ホログラム記録媒体ＨＫに記録されたデータの再生の際には情報レーザ光を遮断して、後述する参照レーザ光のみがホログラム記録媒体ＨＫに照射されるようにする。コントローラ２００からの指令によりシャッタＣ３６の開閉を行う回路が開閉制御回路Ｃ１２０である。
【００２６】
偏光ビームスプリッタ３２を透過したレーザ光（以下、参照レーザ光という）は、ミラー４６で反射し、１／２波長板４８で偏光方向が９０°変化して情報レーザ光と同じになり、絞り５０によりレーザ光強度が高い中心周りの箇所のみが通過し、ホログラム記録媒体ＨＫ内で情報レーザ光が集光される位置に照射される。偏光方向を情報レーザ光と合わせるのは、ホログラム記録媒体ＨＫにおける情報レーザ光と参照レーザ光との干渉を充分行うためである。ミラー４６は、角度制御回路１１４及び位置制御回路１１２により角度と位置が変化され、情報レーザ光が集光される位置ヘの参照レーザ光の入射角を変化させる。これにより、ホログラム記録媒体ＨＫに多重記録を行うことができる。
【００２７】
また、記録がされたホログラム記録媒体ＨＫに参照レーザ光のみを照射することにより、ホログラム記録媒体ＨＫの記録箇所で回折光が発生し，発生した回折光は逆フーリエ変換レンズ４２で逆フーリエ変換されてフォトセンサ４４に入射する。これにより、フォトセンサ４４に、記録の際空間光変調器３４に形成された明暗のドットパターンに相当する画像が形成される。フォトセンサ４４は、明暗のドットパターンを表す電気信号を再生データ生成回路１１６に出力し、再生データ生成回路１１６は、記録用信号生成回路１１０での変換とは逆の変換を行うことで、元データを復号し、コントローラ２００に出力する。
【００２８】
記録及び再生の際、ホログラム記録媒体ＨＫに照射された参照レーザ光は、回折光と透過光を生じ、透過光は後述するフォトセンサ６０にミラー５２，５６，５８を経由してフォトセンサ６０に入射する。また、フォトセンサ６０には、偏光ビームスプリッタ１６を透過したレーザ光（以下、制御用レーザ光という）もミラー５８を経由して入射する。シャッタＡ２０，シャッタＢ５４の開閉は、互いに逆の状態になるように行われ、これによりフォトセンサ６０には、透過光（ホログラム記録媒体ＨＫがステージ４０にセットされていないときは参照レーザ光）と制御用レーザ光のどちらかが、入射する。シャッタＡ２０が閉、シャッタＢ５４が開のときは、ホログラム記録媒体ＨＫの記録再生が行われておらず、レーザ光強度の制御が行われているときであり、逆のときは、ホログラム記録媒体ＨＫの記録再生が行われているときである。尚、ホログラム記録媒体ＨＫの記録再生が行われていないときとは、具体的にはホログラム記録媒体ＨＫの記録再生が開始される前や、ホログラム記録媒体ＨＫの記録再生の最中にホログラム記録媒体ＨＫへのレーザ光照射を停止するときであり、レーザ光照射を停止するときは、多重記録において参照レーザ光の照射角度を変化させるときやホログラム記録媒体ＨＫにおけるレーザ光照射位置を変化させるときである。尚、コントローラ２００からの指令によりシャッタＢ５４の開閉を行う回路が開閉制御回路Ｂ１１８である。
【００２９】
レーザ光強度制御回路１０６は、フォトセンサ６０から入力した信号の強度から回転角度を算出し、回転制御回路１０４に出力する。また、コントローラ２００からの指令により、入力した信号の強度をデジタルデータにしてコントロ−ラ２００に出力する。入力した信号の強度から回転角度を算出する方法については後述する。
【００３０】
このように構成された光ディスク装置１は、作動開始時及び記録又は再生が終了してホログラム記録媒体ＨＫがステージから取り除かれたとき、自動で図２に示すフローのプログラムが実行される。また、作業者が入力装置２０２から実行開始を指示すると実行されるようにしてもよい。以下、図２に示すフローに従って説明する。尚、以後の本実施例の説明において、括弧内の符号は図２の符号に対応している。
【００３１】
まず、カウンタｎをクリアし（Ｓ１０２）、レーザ光の照射を開始する（Ｓ１０４）。次に、１／２波長板１４の回転角度をΘ（ｎ）に設定する（Ｓ１０６）。回転角度のΘ（０）〜Θ（ｎ）は予めコントローラ２００内のメモリに記憶されている。そして、シャッタＡ２０を閉、シャッタＢ５４を開にし（Ｓ１０８，Ｓ１１０）、フォトセンサ６０に制御用レーザ光を入射させ、制御用レーザ光のレーザ光強度Ｉｃ（ｎ）を取り込む（Ｓ１１２）。
【００３２】
シャッタＡ２０を開、シャッタＢ５４を閉にし（Ｓ１１４，Ｓ１１６）、フォトセンサ６０に参照レーザ光を入射させ、参照レーザ光のレーザ光強度Ｉｄ（ｎ）を取り込む（Ｓ１１８）。そして、（参照レーザ光強度Ｉｄ（ｎ）／制御用レーザ光強度Ｉｃ（ｎ））のレーザ光強度比Ｒ（ｎ）を計算し、記憶する（Ｓ１２０）。Θ（ｎ）を最後まで行っていないと（Ｓ１２２−ＮＯ）、ｎをインクリメントし（Ｓ１２４）、回転角度Θ（ｎ）の設定（Ｓ１０６）に戻り、上記と同じ処理を行う。
【００３３】
Θ（ｎ）を最後まで行っていると（Ｓ１２２−ＹＥＳ）、レーザ光の照射が停止され（Ｓ１２６）、レーザ光強度制御回路１０６内のメモリに回転角度とレーザ光強度比との関係を表す関数Θ＝ｆ（Ｒ）、又は回転角度とレーザ光強度比とを対比させたデータが記憶され（Ｓ１２８）、プログラムは終了する（Ｓ１３０）。
【００３４】
回転角度とレーザ光強度比とを対比させたデータをグラフで示すと、図３に示すようになる。回転角度の変化範囲が大きい場合は２つの関係は、図３（ａ）（回転角度の変化範囲５０°）に示されるように多次式の関係であるが、回転角度の変化範囲が少量であれば、２つの関係は図３（ｂ）（回転角度の変化範囲１０°）に示されるように１次式で近似できる関係である。よって、ホログラム記録媒体ＨＫに照射される参照光の強度が定まっている場合は、回転角度の変化範囲は少量でいいので、レーザ光強度制御回路１０６内のメモリヘの入力は関数Θ＝ｆ（Ｒ）でもよいし、対比させたデータでもよい。
【００３５】
レーザ光強度制御回路１０６内のメモリには、予め参照レーザ光の強度Ｌｄが入力されており、ホログラム記録媒体ＨＫヘのデータ記録時やホログラム記録媒体ＨＫに記録されたデータの再生時においては、参照レーザ光の強度がＬｄになるよう、回転制御回路１０４に回転角度に相当する信号を出力する。レーザ光強度制御回路１０６は、フォトセンサ６０から強度Ｌｃの信号が入力すると、Ｌｄ／Ｌｃによりレーザ光強度比Ｒを算出し、回転角度Θとレーザ光強度比Ｒの関係を表す関数Θ＝ｆ（Ｒ）を用いて、又は回転角度Θとレーザ光強度比Ｒを対比させたデータから補間法により、回転角度Θを算出し、算出した回転角度Θに相当する信号を回転制御回路１０４に出力する。これにより、常に参照レーザ光の強度は設定された強度Ｌｄになる。そして、偏光ビームスプリッタ３２により分岐される２つのレーザ光の強度の比は、前述のように一定であり、情報レーザ光の強度も常に設定された強度になる。
【００３６】
以上のように、本実施の形態の光ディスク装置１によれば、２つに分岐したレーザ光のそれぞれのレーザ光強度を検出して２つのレーザ光の強度比を取得し、レーザ光強度制御用のレーザ光のレーザ光強度と２つのレーザ光の強度比とによりレーザ光強度を制御するようにしたことから、偏光ビームスプリッタ３２に入射するレーザ光の偏光方向が設計から多少ずれていても、実際のレーザ光強度によりレーザ光強度比を取得することで、ホログラム記録媒体ＨＫに照射されるレーザ光の強度を設定通りにでき、又、出射するレーザ光の偏光方向が変動しても、所定頻度で（例えばホログラム記録媒体ＨＫを交換するごと）にそれぞれのレーザ光強度を検出して新たなレーザ光強度比を取得すれば、ホログラム記録媒体ＨＫに照射されるレーザ光の強度を設定通りでき、正確な記録及び再生が可能である。
【００３７】
また、レーザ光の偏光方向を変化させて偏光方向に対するレーザ光強度比を取得し、レーザ光強度制御用のレーザ光のレーザ光強度と偏光方向に対するレーザ光強度比とによりレーザ光の偏光方向を制御するようにしたことから、レーザ光源１０に入力する電圧及び電流は一定であり、出射されるレーザ光の強度変化は緩やかであるため、ホログラム記録媒体ＨＫに照射されるレーザ光のレーザ光強度が目標値付近で一定になるようにすることができる。さらに、レーザ光偏光方向変化手段に例えば１／２波長板１４を回転する機構を用いれば、低コストでレーザ光強度の制御を行うことができる。尚、１つのフォトセンサ６０により参照レーザ光と制御用レーザ光の強度を検出することで、フォトセンサ６０が出力する受光信号とレーザ光強度との関係が、長期の間に変化しても同一のフォトセンサ６０を用いているのでレーザ光強度比を精度よく求めることができ、又装置のコストを抑制することもできる。
【００３８】
尚、本発明は様々な変形が可能である。上記実施形態では、レーザ光強度の制御を１／２波長板１４を回転させることにより偏光ビームスプリッタ１６に入射するレーザ光の偏光方向を変化させることにより行った。しかしながら、レーザ光強度が設定された強度付近で小さく変動してもよい場合は、１／２波長板１４及び回転制御回路１０４をなくし、シャッタＡ２０をミラー５２の手前に設けるようにし、透過光をフォトセンサ６０に入射させるのはホログラム記録媒体ＨＫの回折効率を検出したいときのみに限り、フォトセンサ６０が常時、制御用レーザ光を受光するようにし、レーザ光強度制御回路１０６はフォトセンサ６０から強度Ｌｃの信号が入力すると、入力した強度Ｌｃの信号が設定された参照光の強度Ｌｄをレーザ光強度比Ｒで除算した強度Ｌｄ／Ｒになるようレーザ光源に入力する電流又は電圧を制御するようにしてもよい。この場合は、レーザ光強度比Ｒは回転角度によらないので図２に示すフローチャートのプログラムを実行する際は１つのデータのみを取得すればよい。
【００３９】
また、装置のコスト面を考慮しなければ、１／２波長板１４の代わりに電気信号により透過率が変化するフィルタを設け、レーザ光強度制御回路１０６がフォトセンサ６０から強度Ｌｃの信号が入力すると、入力した強度Ｌｃの信号が設定された参照光の強度Ｌｄをレーザ光強度比Ｒで除算した強度のＬｄ／Ｒになるようフィルタの透過率を制御するようにしてもよい。この場合もレーザ光強度比Ｒは回転角度によらないので図２に示すフローチャートのプログラムを実行する際は１つのデータのみを取得すればよい。また、装置のコスト面を考慮しなければ、１／２波長板１４を回転させてレーザ光の偏光方向を変化させる代わりに、ファラデー素子をレーザ光が透過するようにし、ファラデー素子の近傍に電磁石を設け、電磁石によって付与される磁界の強さを変化させてファラデー素子を透過したレーザ光の偏光方向を変化させるようにしてもよい。
【００４０】
さらに、上記実施の形態では、１つのフォトセンサ６０により参照レーザ光と制御用レーザ光の強度を検出したが、装置のコスト面を考慮しなければ、別々のフォトセンサで参照レーザ光と制御用レーザ光の強度を検出するようにしてもよい。
【００４１】
尚、上記実施形態では本発明を情報レーザ光と参照レーザ光とを異なる角度で照射してホログラム記録媒体ＨＫに記録を行う２光束干渉法のホログラム記録再生装置に適用したが、情報レーザ光と参照レーザ光とを同一の光軸上にしてホロクラム記録媒体に照射し、シフト多重方式で記録を行うコリニア方式のホログラム記録再生装置に適用してもよいし、ホログラム記録再生装置以外の光ディスク装置であっても本発明を適用してもよい。
【産業上の利用可能性】
【００４２】
以上のように、本発明によれば、偏光ビームスプリッタに入射するレーザ光の偏光方向が設計から多少ずれていたり、出射するレーザ光の偏光方向が変動しても、記録媒体に照射されるレーザ光の強度を設定通りにすることができ、レーザ光強度が目標値付近で一定になるようにすることができる光ディスク装置を提供することができる。
【図面の簡単な説明】
【００４３】
【図１】本発明のホログラム記録再生装置の一例を示す構成図である。
【図２】１／２波長板の回転角度ごとのレーザ光強度比を取得するためにコントローラが実行するプログラムのフローチャートである。
【図３】１／２波長板の回転角度とレーザ光強度比との関係を視覚的に示す説明図である。
【符号の説明】
【００４４】
１・・・・・光ディスク装置
１０・・・・レーザ光源
１２・・・・コリメートレンズ
１４・・・・１／２波長板
１６・・・・偏光ビームスプリッタ
１８・・・・ミラー
２０・・・・シャッタＡ
２２・・・・エキスパンダーレンズ
２４・・・・エキスパンダーレンズ
２６・・・・１／２波長板
２８・・・・ミラー
３０・・・・絞り
３２・・・・偏光ビームスプリッタ
３４・・・・空間光変調器
３６・・・・シャッタＣ
３８・・・・フーリエ変換レンズ
４０・・・・ステージ
４２・・・・逆フーリエ変換レンズ
４４・・・・フォトセンサ
４６・・・・ミラー
４８・・・・１／２波長板
５０・・・・絞り
５２・・・・ミラー
５４・・・・シャッタＢ
５６・・・・ミラー
５８・・・・ミラー
６０・・・・フォトセンサ
６２・・・・回転モータ
１０２・・・レーザ駆動回路
１０４・・・回転制御回路
１０６・・・レーザ光強度制御回路
１０８・・・開閉制御回路Ａ
１１０・・・記録用信号生成回路
１１２・・・位置制御回路
１１４・・・角度制御回路
１１６・・・再生データ生成回路
１１８・・・開閉制御回路Ｂ
１２０・・・開閉制御回路Ｃ
２００・・・コントローラ
２０２・・・入力装置
２０４・・・表示装置
ＨＫ・・・・ホログラム記録媒体
【図１】
0004905301.tif 000002
【図２】
0004905301.tif 000003
【図３】
0004905301.tif 000004